(57)【要約】      （修正有）【課題】摺動バネの金具の内周面に接触するための摺動部にバネ性を持たせて摺動板部を形成し、且つストッパ部及び保持部と独立させることにより、摺動板部の摺動力の調整が容易になる多段収納式ロッドアンテナを提供する。【解決手段】多段収納式ロッドアンテナは、ロッドアンテナエレメントと、前記ロッドアンテナエレメントの下方側で内部接触バネを介在させて伸縮自在に支持する接続金具と、前記接続金具の下方側で、円筒形状の摺動バネを介在させて伸縮自在に支持する伸張金具と、を備えた多段収納式ロッドアンテナであって、前記摺動バネは、金属性板部材で円筒形状に形成され、縦方向にスリットを設け、一方端部がストッパ部となり、このストッパ部から所定奥行きの位置から一部を残して３辺に切欠きを入れて舌片状に形成してなる摺動板部を備える。【選択図】図１
2009188873.tif 000002
【特許請求の範囲】
【請求項１】
径の異なる複数の長尺なロッドが摺動して互いに軸方向に伸縮可能に連結して構成され、そのロッドの連結部は、円筒形状の摺動バネを介在させて伸縮自在に支持するようにした多段収納式ロッドアンテナであって、
前記摺動バネは、金属性板部材で円筒形状に形成され、直径方向に略垂直な方向にスリットを設け、一方端部がストッパ部となり、このストッパ部から所定奥行きの位置に切欠きを入れて舌片状に形成してなる摺動板部を備え、この摺動板部の自由端部側を外側方向に反らしてバネ性を持たせ、前記金属性部材の少なくとも一箇所を内側方向に凹ませることで前記ロッドの係合穴と
係合する保持部を設けたことを特徴とする多段収納式ロッドアンテナ。
【請求項２】
ワイヤを収納した長尺な樹脂パイプで形成されたロッドアンテナエレメントと、
前記ロッドアンテナエレメントの下方側で内部接触バネを介在させて伸縮自在に支持する接続金具と、
前記接続金具の下方側で第１の摺動バネを介在させて伸縮自在に支持する第１の伸張金具と、
前記第１の伸張金具の下方側で第２の摺動バネを介在させて伸縮自在に支持する第２の伸張金具と、
を備えた多段収納式ロッドアンテナであって、
前記第１の摺動バネは、金属性板部材で円筒形状に形成され、直径方向に略垂直な方向にスリットを設け、一方端部がストッパ部となり、このストッパ部から所定奥行きの位置に切欠きを入れて舌片状に形成してなる摺動板部を備え、この摺動板部の自由端部側を外側方向に反らしてバネ性を持たせ、前記金属性部材の少なくとも一箇所を内側方向に凹ませることで前記第１の伸張金具の係合穴と係合する保持部を設け、
前記第２の摺動バネは、金属性板部材で円筒形状に形成され、直径方向に略垂直な方向にスリットを設け、一方端部がストッパ部となり、このストッパ部から所定奥行きの位置に切欠きを入れて舌片状に形成してなる摺動板部を備え、この摺動板部の自由端部側を外側方向に反らしてバネ性を持たせ、前記金属性部材の少なくとも一箇所を内側方向に凹ませることで前記第２の伸張金具の係合穴と係合する保持部を設けたことを特徴とする多段収納式ロッドアンテナ。
【発明の詳細な説明】
【技術分野】
【０００１】
本発明は、多段収納式ロッドアンテナに関し、詳しくは多段収納式ロッドアンテナの収納時及び収納時の摺動力に関し摺動バネを工夫することにより所望の摺動力の値にすることが容易となる多段収納式ロッドアンテナに関する。
【背景技術】
【０００２】
従来、携帯電話機等に採用されている多段収納式アンテナは、図７に示すように、スリーブ１１にキャップ１２を備え、内部にワイヤ１３を収納した樹脂パイプ１４で形成されたロッドアンテナエレメント１５と、このロッドアンテナエレメント１５の下方側の連結部で内部接触バネ１６を介在させて伸縮自在に支持する金属性部材で形成されている長尺なロッド（金属パイプ）である接続金具１７と、この接続金具１７の下方側の連結部で第１の摺動バネ１８Ａを介在させて伸縮自在に支持する金属性部材で形成されている長尺なロッド（金属パイプ）である第１の伸張金具１９と、この第１の伸張金具１９の下方側の連結部で第２の摺動バネ２１Ａを介在させて伸縮自在に支持する金属性部材で形成されている長尺なロッド（金属パイプ）である第２の伸張金具２２と、この第２の伸張金具２２の基部側に取り付けるためのホルダー２３とからなる。
【０００３】
接続金具１７は、図６及び図７、図９に示すように、長尺な棒状のロッド（金属パイプ）で樹脂パイプ１４を挿通させる空洞に形成され、一方端部寄りに第１の摺動バネ１８Ａの保持部３１ａと係合する係合穴３７を対向する位置に２つ設け（図９参照）、他方端部を先窄み形状に形成した当接部２０を有する（図６参照）。
第１の伸張金具１９は、図７及び図９、図１０に示すように、長尺な棒状のロッド（金属パイプ）で接続金具１７を挿通させる空洞に形成され、一方端部寄りに第２の摺動バネ２１Ａの保持部３６ａと係合する係合穴３８を対向する位置に２つ設け（図１０参照）、他方端部を先窄み形状に形成した当接部３０を有する（図９参照）。
第２の伸張金具２２は、図７及び図１０に示すように、棒状の金属パイプで第１の伸張金具１７を挿通させる空洞に形成され、一方端部寄りにホルダー２３と係合する係合穴（図示せず）を設け（図７参照）、他方端部を先窄み形状に形成した当接部４０を有する（図１０参照）。
【０００４】
内部接触バネ１６は、図６に示すように、樹脂パイプ１４を接続金具１７に伸縮自在に係合係止するもので、樹脂パイプ１４の下方側に内部ストッパ部材２４を取り付け、その内部ストッパ部材２４に接触バネ２５を取り付けることで、接続金具１７の内周面を接触バネ２５が当接することで一定の節度感を持たせて伸縮自在に動かすことができるというものである。
【０００５】
第１の摺動バネ１８Ａは、図８及び図９に示すように、二割形状の同一形状をした２ピースで形成され、接続金具１７の外周面に合うように金属性板部材を半円筒形状に形成し、一方端部がストッパ部２７ａであり、表面の略中央位置に若干膨らみを持たせて第１の伸張金具１９の内周面に当接して摺動する摺動部２８ａを備え、ストッパ部２７ａと反対側の端部寄りに内側に凹ませて、接続金具１７の係合穴３７に係合する保持部３１ａを設けた構造となっている。
【０００６】
第２の摺動バネ２１Ａは、図１０に示すように、第１の摺動バネ１８Ａと同じ形状で大きさが大きく形成されており、同一形状をした２ピースで形成され、第１の伸張金具１９の外周面に合うように金属性板部材を半円筒形状に形成され、一方端部がストッパ部３３ａであり、表面の略中央位置に若干膨らみを持たせて第２の伸張金具２２の内周面に当接して摺動する摺動部３４ａを備え、ストッパ部３１ａと反対側の端部寄りに内側に凹ませて、第１の伸張金具１９の係合穴３８に係合する保持部３６ａを設けた構造となっている。
【０００７】
このような構成からなる第１の摺動バネ１８Ａ及び第２の摺動バネ２１Ａは、先ず２ピースからなる第１の摺動バネ１８Ａは長尺な円筒形状をした接続金具１７の外周の係合穴３７に保持部３１ａを合わせてそれぞれ取り付け、第１の摺動バネ１８Ａを取り付けた状態の接続金具１７を第１の伸張金具１９の後方側から差し込むことで組み立ては完成する。
第２の摺動バネ２１Ａも同様に、２ピースからなる第２の摺動バネ２１Ａは長尺な円筒形状をした第１の伸張金具１９の外周の係合穴３８に保持部３６ａを合わせてそれぞれ取り付け、第２の摺動バネ２１Ａを取り付けた状態の第１の伸張金具１９を第２の伸張金具２２の後方側から差し込むことで組み立ては完成する。
【０００８】
このようにして、図６に示すように、接続金具１７に差し込まれた樹脂パイプ１４は、接続金具１７の端部に設けた先窄み形状の当接部２０に内部ストッパ部材２４が当接することで、それ以上の伸びは抑制され、又、図９に示すように、第１の伸張金具１９に差し込まれた接続金具１７は、第１の伸張金具１９の端部に設けた先窄み形状の当接部３０に第１の摺動バネ１８Ａのストッパ部２７ａが当接することで、それ以上の伸びは抑制され、同様に図１０に示すように、第２の伸張金具２２に差し込まれた第１の伸張金具１９は、第２の伸張金具２２の端部に設けた先窄み形状の当接部４０に第２の摺動バネ２１Ａのストッパ部３３ａが当接することで、それ以上の伸びは抑制される。
【０００９】
【特許文献１】特開２００３−３７４０８号公報
【発明の開示】
【発明が解決しようとする課題】
【００１０】
しかし、従来技術で説明した、摺動バネは、金具の内周面に当接して摺動する摺動部の範囲がストッパ部及び保持部と一体に形成されているために不明確で、どこまでがバネであるのか明確でないため摺動具合の調整が難しいという問題がある。
【００１１】
従って、摺動バネを使用した伸張自在な金具において、摺動具合を予め調整できるような接触構造に解決しなければならない課題を有する。
【課題を解決するための手段】
【００１２】
上記課題を解決するために、本願発明の多段収納式ロッドアンテナは、次に示す構成にしたことである。
【００１３】
（１）多段収納式ロッドアンテナは、径の異なる複数の長尺なロッドが摺動して互いに軸方向に伸縮可能に連結して構成され、そのロッドの連結部は、円筒形状の摺動バネを介在させて伸縮自在に支持するようにした多段収納式ロッドアンテナであって、前記摺動バネは、金属性板部材で円筒形状に形成され、直径方向に略垂直な方向にスリットを設け、一方端部がストッパ部となり、このストッパ部から所定奥行きの位置に切欠きを入れて舌片状に形成してなる摺動板部を備え、この摺動板部の自由端部側を外側方向に反らしてバネ性を持たせ、前記金属性部材の少なくとも一箇所を内側方向に凹ませることで前記ロッドの係合穴と係合する保持部を設けたことである。ンテナ。
【００１４】
（２）多段収納式ロッドアンテナは、ワイヤを収納した長尺な樹脂パイプで形成されたロッドアンテナエレメントと、前記ロッドアンテナエレメントの下方側で内部接触バネを介在させて伸縮自在に支持する接続金具と、前記接続金具の下方側で第１の摺動バネを介在させて伸縮自在に支持する第１の伸張金具と、前記第１の伸張金具の下方側で第２の摺動バネを介在させて伸縮自在に支持する第２の伸張金具と、を備えた多段収納式ロッドアンテナであって、前記第１の摺動バネは、金属性板部材で円筒形状に形成され、直径方向に略垂直な方向にスリットを設け、一方端部がストッパ部となり、このストッパ部から所定奥行きの位置に切欠きを入れて舌片状に形成してなる摺動板部を備え、この摺動板部の自由端部側を外側方向に反らしてバネ性を持たせ、前記金属性部材の少なくとも一箇所を内側方向に凹ませることで前記第１の伸張金具の係合穴と係合する保持部を設け、前記第２の摺動バネは、金属性板部材で円筒形状に形成され、直径方向に略垂直な方向にスリットを設け、一方端部がストッパ部となり、このストッパ部から所定奥行きの位置に切欠きを入れて舌片状に形成してなる摺動板部を備え、この摺動板部の自由端部側を外側方向に反らしてバネ性を持たせ、前記金属性部材の少なくとも一箇所を内側方向に凹ませることで前記第２の伸張金具の係合穴と係合する保持部を設けたことである。
【発明の効果】
【００１５】
本提案によれば、摺動バネの金具の内周面に接触するための摺動部にバネ性を持たせて摺動板部を形成し、且つストッパ部及び保持部と独立させることにより、摺動板部の摺動力の調整が容易になる。
【発明を実施するための最良の形態】
【００１６】
次に、本願発明に係る多段収納式ロッドアンテナの実施形態について、図面を参照して以下説明する。
【００１７】
本願発明の多段収納式ロッドアンテナは、図１に示すように、３段式に伸長自在な構造となっており、スリーブ１１にキャップ１２を備え、内部にワイヤ１３を収納した樹脂パイプ１４で形成されたロッドアンテナエレメント１５と、このロッドアンテナエレメント１５の下方側の連結部で内部接触バネ１６を介在させて伸縮自在に支持する金属性部材で形成されている長尺なロッド（金属パイプ）である接続金具１７と、この接続金具１７の下方側の連結部で第１の摺動バネ１８を介在させて伸縮自在に支持する金属性部材で形成されている長尺なロッド（金属パイプ）である第１の伸張金具１９と、この第１の伸張金具１９の下方側の連結部で第２の摺動バネ２１を介在させて伸縮自在に支持する金属性部材で形成されている長尺なロッド（金属パイプ）である第２の伸張金具２２と、この第２の伸張金具２２の基部側に取り付けるためのホルダー２３とからなる。
【００１８】
接続金具１７は、図１、図４及び図６に示すように、棒状の長尺なロッド（金属パイプ）で樹脂パイプ１４を挿通させる空洞に形成され、一方端部寄りに第１の摺動バネ１８の保持部３１と係合する係合穴３７（図４参照）を対向する位置に２つ設け、他方端部を先窄み形状に形成した当接部２０（図６参照）を有する。
第１の伸張金具１９は、図１、図３及び図４に示すように、棒状の長尺なロッド（金属パイプ）で接続金具１７を挿通させる空洞に形成され、一方端部寄りに第２の摺動バネ２１の保持部３６と係合する係合穴３８を対向する位置に２つ設け、他方端部を先窄み形状に形成した当接部３０を有する。
第２の伸張金具２２は、図１及び図５に示すように、棒状の金属パイプで第１の伸張金具１９を挿通させる空洞に形成され、一方端部寄りにホルダー２３と係合する係合穴（図示せず）を設け、他方端部を先窄み形状に形成した当接部４０を有する。
【００１９】
内部接触バネ１６は、図１及び図６に示すように、樹脂パイプ１４を接続金具１７に伸縮自在に係合係止するもので、樹脂パイプ１４の下方側に内部ストッパ部材２４を取り付け、その内部ストッパ部材２４に接触バネ２５を取り付けることで、接続金具１７の内周面を接触バネ２５が当接することで一定の節度感を持たせて伸縮自在に動かすことができるというものである。
【００２０】
第1の摺動バネ１８は、図１、図２及び図３、図４に示すように、接続金具１７の外周面に合うように円筒形状に形成した金属性筒体であり、直径方向に略垂直な方向にスリット２６を入れ、端部がストッパ部２７であり、スリット２６を挟んだ対称位置でストッパ部２７から所定奥行きの位置から縦方向及び横方向の３辺に一部を残して切欠きを入れ、一部を残した舌片の自由端部側を外側方向に若干折り曲げて反らしてバネ性を持たせた摺動板部２８を備える。摺動板部２８の自由端部は面打ちを行ってテーパ状に形成されたテーパ面２９を備えた構成になっている。この摺動板部２８は、テーパ面２９を第１の伸張金具１９の内周面に当接させて摺動する。
更に、この摺動板部２８の延長線上には内側方向に面打ち加工により形成されたタボである保持部３１を備え、接続金具１７の係合穴３７に係合する構成となっている。
【００２１】
第２の摺動バネ２１は、図１及び図５に示すように、第１の摺動バネ１８と同じ形状で大きさが大きく形成されており、第１の伸張金具１９の外周面に合うように円筒形状に形成した金属性筒体であり、直径方向に略垂直な方向にスリット３２を入れ、端部がストッパ部３３であり、スリット３２を挟んだ対称位置でストッパ部３３から所定奥行きの位置から縦方向及び横方向の３辺に一部を残して切欠きを入れ、一部を残した舌片の自由端部側を外側方向に若干折り曲げて反らしてバネ性を持たせた摺動板部３４を備える。摺動板部３４の自由端部は面打ちを行ってテーパ状に形成されたテーパ面３５を備えた構成になっている。この摺動板部３４は、テーパ面３５を第２の伸張金具２２の内周面に当接させて摺動する。
更に、この摺動板部３４の延長線上には内側方向に面打ち加工により形成されたタボである保持部３６を備え、第１の伸張金具１９の係合穴３８に係合する。
【００２２】
このような構成からなる第１の摺動バネ１８及び第２の摺動バネ２１は、先ず第１の摺動バネ１８は長尺な円筒形状をした接続金具１７の係合穴３７に保持部３１を合わせて取り付け、第１の摺動バネ１８を取り付けた状態の接続金具１７を第１の伸張金具１９の後方側から差し込むことで組み立ては完成する。
第２の摺動バネ２１も同様に、長尺な円筒形状をした第１の伸張金具１９の係合穴３８に保持部３６を合わせて取り付け、第２の摺動バネ２１を取り付けた状態の第１の伸張金具１９を第２の伸張金具２２の後方側から差し込むことで組み立ては完成する。
【００２３】
このようにして、図６に示すように、接続金具１７に差し込まれた樹脂パイプ１４は、接続金具１７の端部に設けた先窄み形状の当接部２０に内部ストッパ部材２４が当接することで、それ以上の伸びは抑制され、又、図４に示すように、第１の伸張金具１９に差し込まれた接続金具１７は、第１の伸張金具１９の端部に設けた先窄み形状の当接部３０に第１の摺動バネ１８のストッパ部３１が当接することで、それ以上の伸びは抑制され、同様に図５に示すように、第２の伸張金具２２に差し込まれた第１の伸張金具１９は、第２の伸張金具２２の端部に設けた先窄み形状の当接部４０に第２の摺動バネ２１のストッパ部３３が当接することで、それ以上の伸びは抑制される。
【産業上の利用可能性】
【００２４】
摺動バネの金具の内周面に接触するための摺動部にバネ性を持たせて摺動板部を形成し、且つストッパ部及び保持部と独立させることにより、摺動板部の摺動力の調整が容易になる多段収納式ロッドアンテナを提供する。
【図面の簡単な説明】
【００２５】
【図１】本願発明に係る多段収納式ロッドアンテナを略示的に示した斜視図である。
【図２】同、摺動バネの斜視図である。
【図３】同、摺動バネを金具に取り付けた様子を示す斜視図である。
【図４】同、接続金具に取り付けた第１の摺動バネを拡大して示した断面図である。
【図５】同、第１の伸張金具に取り付けた第２の摺動バネを拡大して示した断面図である。
【図６】同、ロッドアンテナエレメントに取り付けてある内部接触バネを拡大して示した断面図である。
【図７】従来技術における多段収納式ロッドアンテナを略示的に示した斜視図である。
【図８】同、摺動バネの斜視図である。
【図９】同、接続金具に取り付けてある第１の摺動バネを拡大して示した断面図である。
【図１０】同、第１の伸張金具に取り付けてある第２の摺動バネを拡大して示した断面図である。
【符号の説明】
【００２６】
１１      スリーブ
１２      キャップ
１３      ワイヤ
１４      樹脂パイプ
１５      ロッドアンテナエレメント
１６      内部接触バネ
１７      接続金具
１８      第１の摺動バネ
１９      第１の伸張金具
２０      当接部
２１      第２の摺動バネ
２２      第２の伸張金具
２３      ホルダー
２４      内部ストッパ部材
２５      接触バネ
２６      スリット
２７      ストッパ部
２８      摺動板部
２９      テーパ面
３０      当接部
３１      保持部
３２      スリット
３３      ストッパ部
３４      摺動板部
３５      テーパ面
３６      保持部
３７      係合穴
３８      係合穴
４０      当接部
【図１】
2009188873.tif 000003
【図２】
2009188873.tif 000004
【図３】
2009188873.tif 000005
【図４】
2009188873.tif 000006
【図５】
2009188873.tif 000007
【図６】
2009188873.tif 000008
【図７】
2009188873.tif 000009
【図８】
2009188873.tif 000010
【図９】
2009188873.tif 000011
【図１０】
2009188873.tif 000012